(57)【要約】      （修正有）【課題】抗ウイルス処理が適切になされたかを判断し得る抗ウイルス処理キットを提供する。【解決手段】ハンドスプレー用抗微生物組成物が封入されたハンドスプレー装置２０と、ブロモフェノールブルーを含浸させた基材を含む試験片３０とを備えた、抗ウイルス処理キット１０であって、ハンドスプレー用抗微生物組成物がカチオン性界面活性剤を含み、カチオン性界面活性剤が第４級アンモニウム塩である。【選択図】図１
0003234868.tif 000002
【実用新案登録請求の範囲】
【請求項１】
ハンドスプレー用抗微生物組成物が封入されたハンドスプレー装置と、ブロモフェノールブルーを含浸させた基材を含む試験片とを備えた、抗ウイルス処理キット。
【請求項２】
前記ハンドスプレー用抗微生物組成物が、カチオン性界面活性剤を含む、請求項１に記載の抗ウイルス処理キット。
【請求項３】
前記カチオン性界面活性剤が、第４級アンモニウム塩である、請求項２に記載の抗ウイルス処理キット。
【請求項４】
前記ハンドスプレー用抗微生物組成物が、カチオン性ポリマー及び／又はその塩を含む、請求項１〜３のいずれか一項に記載の抗ウイルス処理キット。
【請求項５】
前記基材がろ紙である、請求項１〜４のいずれか一項に記載の抗ウイルス処理キット。
【考案の詳細な説明】
【技術分野】
【０００１】
本考案は、抗ウイルス処理キットに関する。
【背景技術】
【０００２】
近年、病原体である種々の微生物を媒介とした感染症が短時間で急激に広がる、いわゆる「パンデミック」が問題になっており、ＳＡＲＳ（重症急性呼吸器症候群）や、ノロウイルス、鳥インフルエンザ等のウイルス感染による死者も報告されている。
【０００３】
そこで、様々な細菌やウイルスに対して抗菌、抗ウイルス効果を発揮する、抗菌、抗ウイルス剤による消毒が必要とされており、抗菌、抗ウイルス剤の有効成分として塩化ベンザルコニウムを用いたものが知られている。
【０００４】
抗菌、抗ウイルス剤が抗菌、抗ウイルス効果を発揮するには有効成分の濃度が有効濃度以上である必要があり、抗菌、抗ウイルス剤における塩化ベンザルコニウムの濃度を管理する方法が検討されている。
例えば、特許文献１には、塩化ベンザルコニウム消毒薬の濃度を紙支持体にブロモフェノールブルーを含浸させた指示試験紙で定量することが記載されている。
特許文献２には、ブロモフェノールブルーを含有する殺菌剤の定量指示薬が記載されている。
【先行技術文献】
【特許文献】
【０００５】
【特許文献１】特開平７−１４０１３１号公報
【特許文献２】特開２００２-２４３７１９号公報
【考案の概要】
【考案が解決しようとする課題】
【０００６】
しかしながら、上記特許文献１及び２には、殺菌剤に対する定量指示薬およびそれを用いることにより生じる色変化から、塩化ベンザルコニウム消毒薬の濃度を試験紙で定量することは記載されているが、消毒の対象物が十分に消毒されたかどうかを確認する方法については検討がされていない。
【０００７】
抗微生物組成物を消毒対象物に適用した場合、乾燥した後は、抗微生物組成物が付着した箇所を目視により確認し難くなる。このため、消毒に有効な量の有効成分が消毒の対象となる物品等の表面に残存するかどうかを確認することは困難である。
また、殺菌剤組成物を広範囲に付着させることが容易なトリガースプレー容器を用いた場合、殺菌剤組成物をミスト化して噴霧することができるため、広範囲の処理が可能になる利点があるが、溶媒の乾燥が早く、消毒の確認がより困難になるという課題あった。
【０００８】
本考案は、このような問題に鑑みてなされたものであり、抗ウイルス対象物への抗微生物組成物の付着状態を確認することで抗ウイルス処理が適切になされたかを判断し得る、抗ウイルス処理キットを提供することを目的とする。
【課題を解決するための手段】
【０００９】
前記課題を解決するための手段は、以下の通りである。
〔１〕
ハンドスプレー用抗微生物組成物が封入されたハンドスプレー装置と、ブロモフェノールブルーを含浸させた基材を含む試験片とを備えた、抗ウイルス処理キット。
〔２〕
前記ハンドスプレー用抗微生物組成物が、カチオン性界面活性剤を含む、〔１〕に記載の抗ウイルス処理キット。
〔３〕
前記カチオン性界面活性剤が、第４級アンモニウム塩である、〔２〕に記載の抗ウイルス処理キット。
〔４〕
前記ハンドスプレー用抗微生物組成物が、カチオン性ポリマー及び／又はその塩を含む、〔１〕〜〔３〕のいずれか一項に記載の抗ウイルス処理キット。
〔５〕
前記基材がろ紙である、〔１〕〜〔４〕のいずれか一項に記載の抗ウイルス処理キット。
【図面の簡単な説明】
【００１０】
【図１】図１は、本考案の一実施形態に係る、ハンドスプレー装置と試験片とを備えた抗ウイルス処理キットの概略図である。
【図２】図２は、本考案の一実施形態に係る抗ウイルス処理キットにおける試験片の模式図である。
【図３】図３は、本考案の一実施形態に係る抗ウイルス処理キットにおける試験片及び試験片を収納する容器の模式図である。
【図４】図４は、本考案の一実施形態に係る抗ウイルス処理キットにおけるハンドスプレー装置の概略断面図である。
【図５】図５の（ａ）は実施例の抗ウイルス処理キットにおける試験片の模式図であり、図５（ｂ）は図５（ａ）のＡ−Ａ断面図である。
【考案を実施するための形態】
【００１１】
以下、本考案を実施するための形態について詳細に説明する。なお、本考案は、以下に説明する実施形態に限定されるものではない。
本考案の実施形態に係る抗ウイルス処理キットは、ハンドスプレー用抗微生物組成物が封入されたハンドスプレー装置と、ブロモフェノールブルーを含浸させた基材を含む試験片とを備える。
本考案の抗ウイルス処理キットは、ブロモフェノールブルーを含浸させた基材を含む試験片を備えるため、簡便な方法により抗微生物組成物の消毒対象物への付着状態を確認することができ、抗ウイルス処理が適切になされたかを判断することができる。
【００１２】
より具体的には、試験片を用いて、抗微生物組成物の消毒対象物への付着状態を確認する際は、試験片の基材部分を水で濡らし、消毒対象物と接触させる。消毒対象物の表面に十分に抗微生物組成物が付着している場合は、基材に含まれるブロモフェノールブルーと反応して、色変化が生じる。色変化は抗微生物組成物の消毒対象物の表面への付着量に応じて段階的に生じるように、抗微生物組成物における有効成分（例えば第４アンモニウム塩等）及びブロモフェノールブルーの含有量をそれぞれ変更することにより調整が可能である。
【００１３】
〔ハンドスプレー用抗微生物組成物〕
本考案に用いるハンドスプレー用抗微生物組成物について説明する。
本考案の抗ウイルス処理キットは、ブロモフェノールブルーを含浸させた基材を含む試験片により抗微生物組成物の消毒対象物への付着状態を確認することで、抗ウイルス処理が適切になされたかを判断する。そのため、抗微生物組成物は、ブロモフェノールブルーにより色変化を生じる成分を含有する。
ブロモフェノールブルーにより色変化を生じる成分に特に制限は無いが、抗微生物組成物の消毒対象物への付着状態を確認することで抗ウイルス処理が適切になされたかを判断し得るという本考案の目的から、ブロモフェノールブルーにより色変化を生じる成分が、抗微生物作用を有するものであることが好ましい。
【００１４】
本明細書において、抗微生物とは、抗ウイルス、抗菌、抗カビ及び防カビを含む概念である。従って、本考案に用いるハンドスプレー用抗微生物組成物は、抗ウイルス、抗菌、抗カビ及び防カビのためのハンドスプレー用抗微生物組成物である。また、本考案に用いるハンドスプレー用抗微生物組成物は、抗ウイルスのためのハンドスプレー用抗微生物組成物であることが好ましい。
【００１５】
本考案に用いるハンドスプレー用抗微生物組成物は、ポックスウイルス、オルソミクソウイルス（代表例として、人インフルエンザウイルス、鳥インフルエンザウイルス）等があげられる。また、カリシウイルス（代表例として、ノロウイルス、ネコカリシウイルス）、パラミクソウイルス、アレナウイルス、ラブドウイルス、コロナウイルス（ＣＯＶＩＤ―１９含む）、レトロウイルス、ブニヤウイルス、ヘルペスウイルス、アデノウイルス、レオウイルス、トガウイルス、パポーバウイルス、ピコルナウイルス、ポルボウイルス、フィロウイルス等に有効である。
【００１６】
本考案に用いるハンドスプレー用抗微生物組成物は、カチオン性界面活性剤を含むことが好ましい。カチオン性界面活性剤としては、第４級アンモニウム塩であることが好ましい。第４級アンモニウム塩は、水溶性であり、抗菌性、抗ウイルス性に優れるからである。
【００１７】
上記第４級アンモニウム塩としては、ヘキサデシルトリメチルアンモニウム塩＜セトリモニウム塩＞、ジデシルジメチルアンモニウム塩、アルキルジメチルベンジルアンモニウム塩、＜ベンザルコニウム塩＞、Ｎ，Ｎ−ジメチル−Ｎ−［２−［２−［４−（１，１，３，３−テトラメチルブチル）フェノキシ］エトキシ］エチル］ベンゼンメタンアンモニウム塩＜ベンゼトニウム塩＞、メチルベンゼトニウム塩、ドデシルジメチル（２−フェノキシエチル）アンモニウム塩＜ドミフェン塩＞及び［２−（ラウロイルメチルアミノ）エチル］ジメチル（フェニルカルバモイルメチル）アンモニウム塩＜ドファニウム塩＞からなる群から選択される少なくとも１種以上を使用することができる。
第４級アンモニウム塩は、重合体ビグアナイドや重合体グアニジンと共存させることで、優れた抗菌、抗ウイルス活性を示し、優れた抗微生物活性を示す。
本考案における第４級アンモニウム塩としては、ヘキサデシルトリメチルアンモニウム塩＜セトリモニウム塩＞、アルキルジメチルベンジルアンモニウム塩、＜ベンザルコニウム塩＞、Ｎ，Ｎ−ジメチル−Ｎ−［２−［２−［４−（１，１，３，３−テトラメチルブチル）フェノキシ］エトキシ］エチル］ベンゼンメタンアンモニウム塩＜ベンゼトニウム塩＞、ドデシルジメチル（２−フェノキシエチル）アンモニウム塩＜ドミフェン塩＞及び［２−（ラウロイルメチルアミノ）エチル］ジメチル（フェニルカルバモイルメチル）アンモニウム塩＜ドファニウム塩＞からなる群から選択される少なくとも１種以上が好ましい。
【００１８】
上記第４級アンモニウム塩としては、塩化物塩、臭化物塩、ヨウ化物塩であることが望ましく、塩化物塩、臭化物塩がより好ましい。
【００１９】
上記セトリモニウム塩は、炭素数１６〜１８のアルキル基をもつ塩化アルキルトリメチルアンモニウムであり、抗菌、抗ウイルス活性を持ち、化粧品等にも添加されるものである。
【００２０】
上記ベンザルコニウム塩（塩化ベンザルコニウム）は、重合体ビグアナイドや重合体グアニジンと共存させることで、優れた抗菌、抗ウイルス活性を示し、優れた抗微生物活性を示す。本考案で使用される塩化ベンザルコニウムは、陽イオン界面活性剤の一種であり、その示性式がＣ６Ｈ５ＣＨ２Ｎ＋（ＣＨ３）２Ｒ・Ｃｌ‐（Ｒ＝Ｃ８Ｈ１７〜Ｃ１８Ｈ３７、長鎖アルキル）と表される。アルキル側鎖ＲがＣ１２Ｈ２５の塩化ベンザルコニウム（ベンジルドデシルジメチルアンモニウムクロライド、通称：ＢＤＤＡＣ）が最も抗菌、抗ウイルス活性が高く、抗微生物活性が高い。
本考案において、上記塩化ベンザルコニウムは、特に限定されるものではないが、ベンジルドデシルジメチルアンモニウムクロライドであることが好ましい。
【００２１】
上記ベンゼトニウム塩は、陽イオン界面活性剤の一種であり、上記塩化ベンザルコニウムと同じく殺菌作用があるため、逆性石鹸として殺菌・消毒用に用いられる。
【００２２】
上記ドミフェン塩は、陽イオン界面活性剤であり、脂肪を可溶化し蛋白を変性する性質を有するため、細菌の細胞壁外膜及び細胞質膜を急激に破壊することにより殺菌、抗ウイルス作用を示すと考えられている。ドミフェン塩としては臭化物であることが好ましい。
【００２３】
本考案の実施形態に用いるハンドスプレー用抗微生物組成物における上記カチオン性界面活性剤の濃度は、２５〜１００００ｐｐｍであり、２５０〜５０００ｐｐｍが好ましい。上記カチオン性界面活性剤の濃度が２５ｐｐｍ以上であれば、抗菌・抗ウイルス活性が良好であり、１００００ｐｐｍ以下であれば人体への影響を抑制できる。また、本考案の実施形態に用いるハンドスプレー用抗微生物組成物における上記カチオン性界面活性剤の濃度は、２５０〜５０００ｐｐｍであることが好ましい。
【００２４】
本考案に用いるハンドスプレー用抗微生物組成物は、カチオン性ポリマー及び／又はその塩と、カチオン性界面活性剤とを含み、前記カチオン性ポリマー及び／又はその塩の濃度が２５〜１００００ｐｐｍであり、前記カチオン性界面活性剤の濃度が２５〜１００００ｐｐｍであり、噴射剤を含まないことが好ましい。
【００２５】
本考案に用いるハンドスプレー用抗微生物組成物によれば、２５〜１００００ｐｐｍのカチオン性ポリマー及び／又はその塩、並びに、２５〜１００００ｐｐｍのカチオン性界面活性剤を含み、噴射剤を含まないことで、粒子径１０μｍ以下の抗微生物組成物のミストの存在割合を０．５％以下に少なくすることができる。また、本考案の抗微生物組成物の噴射により形成されるミストの平均粒子径（メジアン径）が４９μｍ〜７０μｍと大きなものとなり、該ミストが肺や気管に至ることを極力抑え、人体に対する影響を極力抑えることができる。
なお、本考案の抗微生物組成物の一実施形態として、カチオン性ポリマー及び／又はその塩と、カチオン性界面活性剤とを含む水溶液であることが好ましい。
【００２６】
本考案の実施形態に用いるハンドスプレー用抗微生物組成物は、カチオン性ポリマー及び／又はその塩を含んでいてもよい。カチオン性ポリマーとしては、重合体ビグアナイド及び／又は重合体グアニジンであることが好ましい。これらの化合物は、抗菌、抗ウイルス性に優れるからである。上記重合体ビグアナイドは、人体に害がなく、抗微生物活性に優れている。重合体ビグアナイド及び／又はその塩は、食品加工工場や医療現場で用いられている成分であり、人体への安全性が認められている成分である。
本考案の実施形態に用いるハンドスプレー用抗微生物組成物における上記カチオン系ポリマー及び／又はその塩の濃度は、２５〜１００００ｐｐｍであり、２５０〜５０００ｐｐｍが好ましい。
【００２７】
本考案において、重合体ビグアナイドを構成する化合物は、特に限定されるものではないが、ポリアルキレンビグアナイド化合物であることが望ましく、下記化学式（１）で示されるものが好ましい。
【００２８】
【化１】
0003234868.tif 000003
【００２９】
［式中、Ｒａは炭素数２〜８のアルキレン基、ｎは２〜１８の整数を示す。］
【００３０】
上記化学式（１）において、Ｒａで示される炭素数２〜８のアルキレン基には、エチレン、プロピレン、ブチレン、ペンチレン、ヘキシレン（ヘキサメチレン）、ヘプチレン（ヘプタメチレン）、オクチレン（オクタメチレン）等の直鎖状のものの他、イソプロピレン、イソブチレン、イソペンチレン、ジメチルプロピレン、ジメチルブチレン等の分岐鎖状のものも含まれるが、直鎖状のアルキレン基が好ましい。
【００３１】
また、ウイルス不活化等の抗微生物効果の点から、上記化学式（１）におけるＲａは、炭素数４〜８のアルキレン基が好ましく、ヘキサメチレン基が特に好ましい。なお、上記化学式（１）におけるｎは２〜１８の整数であり、ウイルス不活化効果等の抗微生物効果、取扱い性等を考慮すると、好ましくは１０〜１４の整数であり、より好ましくは１１〜１３の整数である。
【００３２】
上記化学式（１）で示されるポリアルキレンビグアナイド化合物は、塩酸、硝酸、硫酸等の無機酸との塩の形態、または酢酸、乳酸、グルコン酸等の有機酸との塩の形態でも用いることができる。かかる塩の中では、塩酸塩、酢酸塩、グルコン酸塩が好ましく、塩酸塩が最も好ましく用いられる。本考案にかかるカチオン性ポリマーとして、上記化学式（１）で示されるポリアルキレンビグアナイド化合物およびその塩からなる群より選択される少なくとも１種を含むことが好ましい。本考案にかかるカチオン性ポリマーとして、上記化学式（１）で示されるポリアルキレンヒグアナイド化合物及びその塩からなる群より選択される化合物が、１種類のみ含まれてもよく、２種類以上含まれてもよい。
【００３３】
本考案において、ポリアルキレンビグアナイド化合物及び／又はその塩としては、公知の方法、たとえば英国特許第７０２，２６８号等に記載された方法に従って製造したものを用いてもよく、市販の製品を用いてもよい。市販の製品としては、「エクリンサイドＢＧ（「エクリン」は理工協産株式会社の登録商標）」（理工協産株式会社製）、「プロキセルＩＢ」（アーチ・ケミカルズ社製）、「ロンザバックＢＧ」（ロンザジャパン株式会社製）等が挙げられる。
【００３４】
本考案においてポリアルキレンビグアナイド化合物は、原料の入手しやすさの観点からポリアミノプロピルビグアナイド化合物（Ｒａがプロピレン）もしくはポリヘキサメチレンビグアナイド化合物（Ｒａがヘキサメチレン）を好適に使用でき、ポリアミノプロピルビグアナイド化合物であることが最も好ましい。
ポリアミノプロピルビグアナイドは、少量で防腐効果を発揮する安全性の高い防腐剤として知られている。ポリアミノプロピルビグアナイドは水溶性で、油相に分配されることがないため、乳化系での防腐力が低下せず、工業用設備、香粧品類、医薬品分野の殺菌・防腐剤として利用されている。このため、生産量が多く原料として最も入手しやすい。
【００３５】
本考案において、重合体グアニジンは特に限定されないが、下記化学式（２）で表される重合体グアニジン化合物が望ましく、ポリヘキサメチレングアニジン化合物がより好ましい。
【００３６】
【化２】
0003234868.tif 000004
【００３７】
［式中、ｎは１以上の整数であり、Ａは硝酸、蟻酸、酢酸、安息香酸、デヒドロ酢酸、プロピオン酸、グルコン酸、ソルビン酸、燐酸、フマル酸、マレイン酸、炭酸、硫酸又はパラトルエンスルホン酸である。］
【００３８】
上記化学式（２）で示される重合体グアニジン化合物は、硝酸、蟻酸、酢酸、安息香酸、デヒドロ酢酸、プロピオン酸、グルコン酸、ソルビン酸、燐酸、フマル酸、マレイン酸、炭酸、硫酸又はパラトルエンスルホン酸との塩の形態でも用いることができる。本考案にかかるカチオン性ポリマーとして、上記式（２）で示される重合体グアニジン化合物およびその塩からなる群より選択される少なくとも１種を含むことが好ましい。本考案にかかるカチオン性ポリマーとして、上記式（２）で示される重合体グアニジン化合物及びその塩からなる群より選択される化合物が、１種類のみ含まれてもよく、２種類以上含まれてもよい。
【００３９】
上記化学式（２）で示される構造を有する重合体グアニジン化合物として、大和化学工業株式会社製抗菌剤「ＡＡ−２１００ＫＩＩ（商品名）」などが市販されている。
【００４０】
本考案の実施形態に用いるハンドスプレー用抗微生物組成物は、噴射剤を含まないことが好ましい。噴射剤は一般に圧縮ガス、液化ガスであるため、液相中から揮発し気相（蒸気相）を形成する剤であり、例えば、ジメチルエーテル（ＤＭＥ）、窒素、液化石油ガス（ＬＰＧ）、炭酸ガス等である。
【００４１】
本考案の実施形態に用いるハンドスプレー用抗微生物組成物は、さらにアルコールを含んでいてもよい。上記アルコールは、メタノール、エタノール、プロパノール、ブタノールなどを使用できるが、人体に影響が少ないエタノールが好ましい。
【００４２】
本考案の実施形態に用いるハンドスプレー用抗微生物組成物は、本考案の効果を阻害しない範囲で、各種添加剤を含有してもよい。このような添加剤としては、例えば、香料、精油、粘度調整剤、泡調整剤、酵素、糖類、アミノ酸類等が挙げられる。なお、上記香料や精油としては、例えば、食品添加物として認められているゲラニオール、シトロネロール、オイゲノール、リナロール、テレピネオール、チモール、メントール、リモネン、ペリラアルデヒド等が挙げられる。
【００４３】
本考案の実施形態に用いるハンドスプレー用抗微生物組成物は、ハンドスプレー用に用いられる剤形であれば特に限定されないが、液剤であることが好ましい。
【００４４】
次に、本考案の実施形態に用いるハンドスプレー用抗微生物組成物を製造する方法について説明する。
なお本考案の実施形態に用いるハンドスプレー用抗微生物組成物の製造方法は以下の態様に限定されるものではない。
本考案の実施形態に用いるハンドスプレー用抗微生物組成物を製造する方法としては、例えば、カチオン性界面活性剤等の抗微生物効果を有する成分と、水等の溶媒とを混合することにより製造することができる。
例えば、所定濃度のカチオン性ポリマー及び／又はその塩を含む水溶液と、所定濃度のカチオン性界面活性剤を含む水溶液とを攪拌混合し、カチオン性ポリマー及び／又はその塩の濃度を２５〜１００００ｐｐｍ、カチオン性界面活性剤の濃度を２５〜１００００ｐｐｍとすることにより、ハンドスプレー用に好適な組成物を製造することができる。
【００４５】
また、本考案の実施形態に用いるハンドスプレー用抗微生物組成物を製造する際には、さらに、水等の溶媒を添加してもよい。溶媒としては、本考案の効果を阻害しない範囲において、本考案の属する分野において通常使用される溶媒を用いることができる。
【００４６】
〔ハンドスプレー装置〕
以下、本考案の実施形態に係るハンドスプレー用抗微生物組成物が封入されたスプレー装置について説明する。
図１は、本考案の一実施形態に係る、ハンドスプレー装置２０と試験片３０とを備えた抗ウイルス処理キット１０の概略模式図である。
図４は本考案に用いるハンドスプレー用抗微生物組成物が封入されたスプレー装置を説明するための概略断面図である。
【００４７】
図１に示すスプレー装置２０は、一般的なものであり、レバーを引き込み操作して噴霧するタイプのハンドスプレー（トリガースプレー）である。図１に示すように、タンク１は、上端にネジ付開口を有する瓶状の合成樹脂成形品であり、その内部にハンドスプレー用抗微生物組成物を含む混合水溶液を貯留する。タンク１のネジ付開口には、ネジ付きキャップ５がネジ止めされ、これによりポンプ２がタンク１に取り付けられている。
【００４８】
ポンプ２は、混合水溶液を吸い上げるチューブ４や、吸い上げた混合水溶液を加圧するポンプ機構２１を有している。また、ポンプ２の前部下側にはレバー２２が揺動可能に設けられている。ポンプ２の前部上側には、ポンプ機構２１と混合水溶液の流路２３を介して連通するノズル３が組み付けられている。このような形態のトリガースプレーの場合、レバー２２を引くことで混合水溶液が加圧されてノズル３から噴霧される。
ポンプ機構２１の具体的構成は問わないが、例えば、図４に示すように、ピストン１１、ピストンガイド１２、スプリング１４、バルブボール１５を備えたものであってよい。図４のポンプ機構２１において、レバー２２を引くと図示しない連動機構によりピストン１１及びピストンガイド１２がスプリング１４に抗して下降し、ピストン１１とバルブボール１５との間の空間内の混合水溶液が加圧され、加圧された混合水溶液が中空のピストンガイド１２を通ってノズル３から噴出する。レバー２２を引く力を解除すると、スプリング１４によりピストン１１及びピストンガイド１２が上方に押し戻され、レバー２２が元の位置に戻るとともに、タンク内の混合水溶液がバルブボール１５を介してピストン１１とバルブボール１５との間の空間内に吸い上げられる。なお、このとき、図示しない弁機構によりノズル３側から混合水溶液が逆流しないように構成されている。
【００４９】
ノズル３のノズル径は特に限定されるものではないが、例えば、直径０．３〜０．６ｍｍが好適である。
【００５０】
〔試験片〕
次に、本考案の抗ウイルス処理キットが備える、ブロモフェノールブルーを含浸させた基材を含む試験片について説明する。なお本考案の実施形態に係る抗ウイルス処理キットが備える、ブロモフェノールブルーを含浸させた基材を含む試験片は以下の態様に限定されるものではない。
【００５１】
試験片は、ブロモフェノールブルーを含浸させた基材を含むものである。
図２は、本考案の一実施形態に係る抗ウイルス処理キットにおける試験片の模式図である。
試験片３０は基材３４のみからなるものであってもよく、支持基材３３と基材３４とを組み合わせたものであってもよい。
【００５２】
基材３４としては例えば、ろ紙、綿、ガラス繊維ろ紙、編物、織物、不織布、メンブランフィルター、多孔質樹脂シート、紙などが挙げられ、吸水性の観点からろ紙であることが好ましい。
また、基材３４の材料としては、例えば、ポリエチレン、ポリプロピレンなどのポリオレフィン、ポリエチレンテレフタレート、ポリブチレンテレフタレートなどのポリエステル、ポリウレタン、ナイロン、ポリ塩化ビニル、ポリ塩化ビニリデン、フッ素樹脂、ビニロン、アラミド、ポリアクリル系ポリマー、酢酸セルロール、プロミックス等の合成繊維；半合成繊維；レーヨン等の再生繊維；綿、麻、絹等の天然繊維：又は無機繊維等が挙げられる。
基材の形状は特に制限されず、正方形、長方形、円形、楕円形、棒状、シート状などが挙げられる。
【００５３】
支持基材３３は、ブロモフェノールブルーを含浸させた基材を支持するものであれば特に制限はない。支持基材としては例えば、樹脂フィルム、発泡樹脂、網状樹脂、編物、織布、不織布、紙、無機繊維等などが挙げられる。
また、支持基材３３の材料としては、例えば、ポリエチレン、ポリプロピレンなどのポリオレフィン、ポリエチレンテレフタレート、ポリブチレンテレフタレートなどのポリエステル、ポリウレタン、ナイロン、ポリ塩化ビニル、ポリ塩化ビニリデン、フッ素樹脂、ビニロン、アラミド、ポリアクリル系ポリマー、酢酸セルロール、プロミックス等の合成繊維；半合成繊維；レーヨン等の再生繊維；綿、麻、絹等の天然繊維：又は無機繊維等が挙げられる。
支持基材の形状は特に制限されず、正方形、長方形、円形、楕円形、棒状、シート状などが挙げられる。
【００５４】
試験片３０の形状には特に限定はなく、基材３４の形状であっても、基材３４の形状と支持基材３３の形状を任意に組み合わせたものであってもよい。例えば、図２に示す、短冊状の試験片３０は、ブロモフェノールブルーを含有する長方形の基材３４と、長方形の支持基材３３とを組み合わせたものである。
また、試験片３０の形状は、棒状の紙軸を支持基材３３とし、支持基材３３の一端又は両端に基材３４としてブロモフェノールブルーを含有する綿を付した綿棒状としたものであってもよい。
【００５５】
試験片３０は、包装容器、包装袋、箱、びん、缶等に収納されていてもよく、取り扱いの簡便性の観点から、図３に示すように、蓋３２の付いた容器３１に収納されていてもよい。
【実施例】
【００５６】
以下、実施例を示して本考案を詳細に説明する。ただし、本考案はこれらの実施例に限定されるものではない。
【００５７】
（ハンドスプレー用抗微生物組成物の調製）
（調製例１）
成分（Ａ）として、濃度２０００ｐｐｍのポリヘキサメチレンビグアナイド塩酸塩（ＰＨＭＢ）の水溶液１００重量部に、成分（Ｂ）として、濃度３０００ｐｐｍの塩化ベンゼトニウム水溶液１００重量部を加え、濃度１０００ｐｐｍのポリアミノプロピルビグアナイド塩酸塩と濃度１５００ｐｐｍの塩化ベンゼトニウムの混合水溶液を得た
【００５８】
（調製例２）
成分（Ａ）のポリヘキサメチレングアニジンの濃度２０００ｐｐｍの水溶液と成分（Ｂ）として、ヘキサデシルトリメチルアンモニウム塩酸塩の濃度２０００ｐｐｍの水溶液１００重量部を加え、濃度１０００ｐｐｍのポリヘキサメチレングアニジンと濃度１０００ｐｐｍのヘキサデシルトリメチルアンモニウム塩酸塩の混合水溶液を得た。
【００５９】
（調製例３）
成分（Ａ）として、２０重量％のポリヘキサメチレンビグアナイド塩酸塩の水溶液を水で希釈して２０００ｐｐｍとしたもの１００重量部に、成分（Ｂ）として、濃度２０００ｐｐｍの塩化ベンザルコニウム（ベンジルドデシルジメチルアンモニウムクロライド）水溶液１００重量部を加え、濃度１０００ｐｐｍのポリヘキサメチレンビグアナイド塩酸塩と濃度１０００ｐｐｍのベンジルドデシルジメチルアンモニウムクロライドの混合水溶液を得た。
【００６０】
（スプレー装置の製造）
調製例１〜３で得られた混合水溶液１００ｇを、ハンドスプレー用抗微生物組成物として、それぞれノズル径０．３ｍｍのハンドスプレー装置に封入し、抗微生物組成物（混合水溶液）が封入されたスプレー装置を得た。これを実施例１〜３の抗ウイルス処理キットに係るスプレー装置とした。
【００６１】
（試験片の製造）
ブロモフェノールブルーを０．１質量％含有するエタノール液６０ｍＬ、１０質量％硝酸６．３ｍＬ、０．１モル／Ｌのクエン酸水溶液９５９ｍＬ、及び０．１モル／Ｌの第一クエン酸カリウム４１ｍＬを混合して撹拌して、ブロモフェノールブルー（ＢＰＢ）溶液を調製した。
次に、調製した溶液に、基材としてサイズ２００ｍｍ×１５０ｍｍのろ紙（ケニス株式会社製安積濾紙ＳＰＦ１５−２０）を１０秒間浸し、引き上げたろ紙をバットに置いて乾燥機で５０℃で２ｈｒ乾燥した。
乾燥したろ紙を５ｍｍ×２００ｍｍのサイズに切断し、支持基材としての２１０ｍｍ×２９７ｍｍのサイズの下側フィルム（クラウングループ社製パウチフィルム）上に置き、ろ紙を保護紙で被覆するように保護し、その上に２１０ｍｍ×２９７ｍｍのサイズの上側フィルムを積層し、１１０℃ラミネーターでフィルムを接着した。保護紙を挟んだ部分の上側フィルム及び保護紙を剥がして５ｍｍ×７０ｍｍのサイズにカッターで切断し、図５の（ａ）及び図５の（ｂ）の模式図に示す形状の試験紙（試験片）を作製した。
【００６２】
（抗ウイルス処理キット）
上記で得られたスプレー装置及び試験片を組み合わせ、実施例１〜３の抗ウイルス処理キットを得た。
【００６３】
（スプレー結果の評価）
得られた実施例１〜３の抗ウイルス処理キットにおける、抗微生物組成物が封入されたスプレー装置をメラミン化粧板に噴射した。メラミン化粧板が乾燥後、上記で作製した試験片を水で濡らし、メラミン化粧板に接触させた。その結果、試験片の基材部分が青く呈色し、消毒対象物であるメラミン化粧板に十分な抗微生物組成物が付着していることを確認することができ抗ウイルス処理が適切になされたことが確認できた。
【符号の説明】
【００６４】
１：タンク
２：ポンプ
３：ノズル
４：チューブ
５：ネジ付きキャップ
１１：ピストン
１２：ピストンガイド
１４：スプリング
１５：バルブボール
２０：ハンドスプレー装置
２１：ポンプ機構
２２：レバー
２３：流路
３０：試験片
３３：支持基材
３４：基材
【図１】
0003234868.tif 000005
【図２】
0003234868.tif 000006
【図３】
0003234868.tif 000007
【図４】
0003234868.tif 000008
【図５】
0003234868.tif 000009